【手続補正書】
【提出日】平成22年5月19日(2010.5.19)
【手続補正１】
【補正対象書類名】特許請求の範囲
【補正対象項目名】全文
【補正方法】変更
【補正の内容】
【特許請求の範囲】
【請求項１】
複数のデザインが記憶された第１の記憶手段と、
上記複数のデザインのそれぞれを複数のラベルの組み合わせによって表現したラベル組み合わせ情報が記憶された第２の記憶手段と、
上記第１の記憶手段に記憶された上記複数のデザインの内、少なくとも１つのデザインを選択させる選択手段と、
上記選択手段で選択された上記デザインに対応するラベル組み合わせ情報を第２の記憶手段から読み出す読み出し手段と、
上記読み出し手段により読み出されたラベル組み合わせ情報に従い、上記デザインを構成する各ラベルを出力する出力手段と、を備えたラベルデザイン作成装置。
【請求項２】
複数のデザインが記憶された第１の記憶手段と、
上記第１の記憶手段に記憶された上記各デザインの内、採用するデザインを選択させる選択手段と、
上記選択手段で選択された上記デザインから、当該デザインをラベルの組み合わせで表現したラベル組み合わせ情報を作成する展開手段と、
上記展開手段で作成されたラベル組み合わせ情報に従い、上記デザインを構成するラベルを出力する出力手段と、を備えたラベルデザイン作成装置。
【請求項３】
デザインを入力させる入力手段と、
上記入力手段で入力された上記デザインから、当該デザインをラベルの組み合わせで表現したラベル組み合わせ情報を作成する展開手段と、
上記展開手段で作成されたラベル組み合わせ情報に従い、上記デザインを構成するラベルを出力する出力手段と、を備えたラベルデザイン作成装置。
【請求項４】
請求項１乃至３のいずれか一項に記載のラベルデザイン作成装置は、さらに、
上記ラベル組み合わせ情報によって規定されるラベルが貼り合わされて形成される領域内に、１又は複数の画像を形成する領域を設定する画像形成領域設定手段と、
上記領域に形成する画像を決定する画像作成手段と、
上記画像作成手段で決定された画像を、上記画像形成領域設定手段で設定された領域内に画像形成する画像形成手段と、を備えたラベルデザイン作成装置。
【請求項５】
請求項１乃至３のいずれか一項に記載のラベルデザイン作成装置は、さらに、
上記ラベル組み合わせ情報によって規定されるラベルが貼り合わされて形成される領域内に、１又は複数の画像を形成する領域を設定する画像形成領域設定手段と、
上記領域内に形成する画像を入力させる画像入力手段と、
上記画像入力手段によって入力された画像を、上記画像形成領域設定手段で設定された領域に画像形成する画像形成手段と、を備えたラベルデザイン作成装置。
【請求項６】
請求項１乃至５のいずれか一項に記載のラベルデザイン作成装置は、さらに、
各ラベルの貼り合わせ方を記したガイドを画面表示する表示手段と、
上記各ラベルの貼り合わせ方を記したガイドを、上記デザインを構成するラベルとは別のラベルに画像形成して出力するガイド出力手段とを備えた、ラベルデザイン作成装置。
【請求項７】
請求項１乃至３のいずれか一項に記載のラベルデザイン作成装置は、さらに、
一のラベル上に重畳して他のラベルが貼り合わされるラベルデザインにおいて、一のラベル上に、他のラベルが貼り合わされる位置の案内を画像形成する案内画像形成手段を備え、上記案内画像形成手段が、他のラベルに、当該ラベルを識別するための記号を画像形成するとともに、一のラベルにおける他のラベルが貼り合わされる位置に上記記号を画像形成する、ラベルデザイン作成装置。
【手続補正２】
【補正対象書類名】明細書
【補正対象項目名】００１０
【補正方法】変更
【補正の内容】
【００１０】
かかる課題を解決するために、第１の発明のラベルデザイン作成装置は、複数のデザインが記憶された第１の記憶手段と、複数のデザインのそれぞれを複数のラベルの組み合わせによって表現したラベル組み合わせ情報が記憶された第２の記憶手段と、第１の記憶手段に記憶された複数のデザインの内、少なくとも１つのデザインを選択させる選択手段と、選択手段で選択されたデザインに対応するラベル組み合わせ情報を第２の記憶手段から読み出す読み出し手段と、読み出し手段により読み出されたラベル組み合わせ情報に従い、デザインを構成する各ラベルを出力する出力手段と、を備えたものである。
【手続補正３】
【補正対象書類名】明細書
【補正対象項目名】００１２
【補正方法】変更
【補正の内容】
【００１２】
第２の本発明のラベルデザイン作成装置は、複数のデザインが記憶された第１の記憶手段と、第１の記憶手段に記憶された各デザインの内、採用するデザインを選択させる選択手段と、選択手段で選択されたデザインから、当該デザインをラベルの組み合わせで表現したラベル組み合わせ情報を作成する展開手段と、展開手段で作成されたラベル組み合わせ情報に従い、デザインを構成するラベルを出力する出力手段と、を備えたものである。
【手続補正４】
【補正対象書類名】明細書
【補正対象項目名】００１３
【補正方法】変更
【補正の内容】
【００１３】
第３の発明のラベルデザイン作成装置は、デザインを入力させる入力手段と、入力手段で入力されたデザインから、当該デザインをラベルの組み合わせで表現したラベル組み合わせ情報を作成する展開手段と、展開手段で作成されたラベル組み合わせ情報に従い、デザインを構成するラベルを出力する出力手段と、を備えたものである。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】変更
【補正の内容】
【００１７】
第４の発明のラベルデザイン作成装置は、第１乃至第３の発明のいずれかに記載のラベルデザイン作成装置において、さらに、ラベル組み合わせ情報によって規定されるラベルが貼り合わされて形成される領域内に、１又は複数の画像を形成する領域を設定する画像形成領域設定手段と、領域に形成する画像を決定する画像作成手段と、画像作成手段で決定された画像を、画像形成領域設定手段で設定された領域内に画像形成する画像形成手段と、を備えたものである。
【手続補正９】
【補正対象書類名】明細書
【補正対象項目名】００１８
【補正方法】変更
【補正の内容】
【００１８】
第５の発明のラベルデザイン作成装置は、第１乃至第３の発明のいずれかに記載のラベルデザイン作成装置において、さらに、ラベル組み合わせ情報によって規定されるラベルが貼り合わされて形成される領域内に、１又は複数の画像を形成する領域を設定する画像形成領域設定手段と、領域内に形成する画像を入力させる画像入力手段と、画像入力手段によって入力された画像を、画像形成領域設定手段で設定された領域に画像形成する画像形成手段と、を備えたものである。
【手続補正１０】
【補正対象書類名】明細書
【補正対象項目名】００１９
【補正方法】変更
【補正の内容】
【００１９】
第６の発明のラベルデザイン作成装置は、第１乃至第５の発明のいずれかに記載のラベルデザイン作成装置において、さらに、各ラベルの貼り合わせ方を記したガイドを画面表示する表示手段と、各ラベルの貼り合わせ方を記したガイドを、デザインを構成するラベルとは別のラベルに画像形成して出力するガイド出力手段とを備えたものである。
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】変更
【補正の内容】
【００２２】
第７の発明のラベルデザイン作成装置は、第１乃至第３の発明のいずれかに記載のラベルデザイン作成装置において、さらに、一のラベル上に重畳して他のラベルが貼り合わされるラベルデザインにおいて、一のラベル上に、他のラベルが貼り合わされる位置の案内を画像形成する案内画像形成手段を備え、案内画像形成装置は、他のラベルに、当該ラベルを識別するための記号を画像形成するとともに、一のラベルにおける他のラベルが貼り合わされる位置に記号を画像形成するものである。
【手続補正１４】
【補正対象書類名】明細書
【補正対象項目名】００２３
【補正方法】削除
【補正の内容】